(57)【要約】      （修正有）【課題】携帯電話機のバッテリーからデジタルカメラに電源を供給する場合、携帯電話機のバッテリー電圧をデジタルカメラのＤＣ／ＤＣコンバータによって所定の電圧に変換して映像信号を画像表示装置へ出力する場合の消費電力を削減する。【解決手段】特定電源が検出されてＵＳＢインターフェース３９にＵＳＢケーブル５４を介してパソコン５１が接続されたことが認識された場合、パソコン５１から供給される特定電源が接続認識信号としてＨＤＭＩインターフェース４０に接続されるＨＤＭＩケーブル５５を介してテレビ５２へ出力される。このため、パソコン５１から供給される特定電源がそのままデジタルカメラ１を介してテレビ５２へ直接出力される。従って、パソコン５１から供給される特定電源を従来のようにＤＣ／ＤＣコンバータを作動させて電圧変換する必要のない分だけ、デジタルカメラ１内の消費電力が低減される。【選択図】図３
2012019368.tif 000002
【特許請求の範囲】
【請求項１】
画像を保存する保存手段と、
特定電源供給線およびデータ通信線を有する第１の接続線が接続されて前記特定電源供給線から供給される特定電源を検出することで外部機器の接続認識が行われる第１インターフェース部と、
データ送信を行うデータ通信線および前記特定電源と等しい電圧の接続認識信号を画像表示装置へ送信するデータ通信線を有する第２の接続線が接続されて前記保存手段に保存された画像をデータ送信を行う前記データ通信線を介して前記画像表示装置へ送出する第２インターフェース部と、
前記特定電源が検出されて前記第１インターフェース部に前記第１の接続線を介して前記外部機器が接続されたことが認識された場合、前記外部機器から供給される前記特定電源を前記第２インターフェース部に接続される前記第２の接続線によって送信される前記接続認識信号として前記画像表示装置へ出力する制御部と
を備える画像保存装置。
【請求項２】
請求項１に記載の画像保存装置において、
前記特定電源と等しい電圧の動作電源を生成する電源生成回路と、前記電源生成回路によって生成される前記動作電源が供給されて動作する内部回路とを備え、
前記制御部は、前記第１インターフェース部に前記特定電源が供給されて前記外部機器との接続が認識された場合、前記電源生成回路による前記動作電源の生成を停止させて前記特定電源を前記内部回路に供給することを特徴とする画像保存装置。
【請求項３】
請求項２に記載の画像保存装置において、
前記制御部は、前記第１インターフェース部に前記特定電源が供給されないで前記外部機器との接続が認識されない場合、前記電源生成回路によって生成される前記動作電源を前記接続認識信号として前記第２インターフェース部に接続される前記第２の接続線を介して前記画像表示装置へ出力することを特徴とする画像保存装置。
【発明の詳細な説明】
【技術分野】
【０００１】
本発明は、電源供給線およびデータ送信を行うデータ通信線を有する接続線を介して外部機器に接続されるインターフェース部を備えた画像保存装置に関する。
【背景技術】
【０００２】
従来、この種の画像保存装置としては、例えば、特許文献１に開示されたデジタルカメラがある。このデジタルカメラが接続ケーブルを介して携帯電話機に接続されている場合、接続ケーブルのデータ転送ラインを介して、デジタルカメラおよび携帯電話機間でデータ転送が行われる。また、切替スイッチを切り替えることにより、接続ケーブルの電源供給ラインを介して、デジタルカメラのバッテリーから携帯電話機の内部回路へＤＣ／ＤＣコンバータを経由して電源が供給され、また、携帯電話機のバッテリーからデジタルカメラの内部回路へＤＣ／ＤＣコンバータを経由して電源が供給される。このため、デジタルカメラまたは携帯電話機の何れか一方のバッテリーが無くなった場合でも、他方が電源を供給することで両方の機器が使用可能になる。
【先行技術文献】
【特許文献】
【０００３】
【特許文献１】特開２００３−１８４４１号公報
【発明の概要】
【発明が解決しようとする課題】
【０００４】
しかしながら、上記従来のデジタルカメラでは、携帯電話機のバッテリーからデジタルカメラに電源が供給される際、携帯電話機のバッテリー電圧と等しい電圧の映像信号が入力されるテレビなどの画像表示装置をデジタルカメラに新たに接続した場合でも、携帯電話機のバッテリー電圧をデジタルカメラのＤＣ／ＤＣコンバータによって所定の電圧に変換した映像信号を画像表示装置へ出力することになるため、ＤＣ／ＤＣコンバータが作動する分だけデジタルカメラに無駄な消費電力が発生する。また、デジタルカメラに用いられる電力は、携帯電話機とデジタルカメラとの各電源電圧が等しい場合でも、デジタルカメラのバッテリーが消耗していない場合はデジタルカメラで生成されるため、デジタルカメラに電力の無駄が発生する。
【課題を解決するための手段】
【０００５】
本発明はこのような課題を解決するためになされたもので、
画像を保存する保存手段と、
特定電源供給線およびデータ通信線を有する第１の接続線が接続されて特定電源供給線から供給される特定電源を検出することで外部機器の接続認識が行われる第１インターフェース部と、
データ送信を行うデータ通信線および特定電源と等しい電圧の接続認識信号を画像表示装置へ送信するデータ通信線を有する第２の接続線が接続されて保存手段に保存された画像をデータ送信を行うデータ通信線を介して画像表示装置へ送出する第２インターフェース部と、
特定電源が検出されて第１インターフェース部に第１の接続線を介して外部機器が接続されたことが認識された場合、外部機器から供給される特定電源を第２インターフェース部に接続される第２の接続線によって送信される接続認識信号として画像表示装置へ出力する制御部と
を備えて、画像保存装置を構成した。
【０００６】
この構成によれば、特定電源が検出されて第１インターフェース部に第１の接続線を介して外部機器が接続されたことが認識された場合、外部機器から供給される特定電源が接続認識信号として第２インターフェース部に接続される第２の接続線を介して、画像表示装置へ制御部により出力される。このため、外部機器から供給される特定電源がそのまま画像保存装置を介して画像表示装置へ直接出力される。従って、外部機器から供給される特定電源を従来のようにＤＣ／ＤＣコンバータを作動させて電圧変換する必要のない分だけ、画像保存装置内で消費される電力が低減される。
【０００７】
また、本発明は、特定電源と等しい電圧の動作電源を生成する電源生成回路と、電源生成回路によって生成される動作電源が供給されて動作する内部回路とを備え、
制御部が、第１インターフェース部に特定電源が供給されて外部機器との接続が認識された場合、電源生成回路による動作電源の生成を停止させて特定電源を内部回路に供給することを特徴とする。
【０００８】
本構成によれば、第１インターフェース部に特定電源が供給されて外部機器との接続が認識された場合、制御部により、電源生成回路による動作電源の生成が停止させられて、外部機器から供給される特定電源が内部回路に供給される。このため、第１インターフェース部に特定電源が供給されて外部機器との接続が認識された場合、内部回路への動作電源を生成する電源生成回路の動作が停止する分だけ、画像保存装置内で消費される電力が低減され、画像保存装置の低消費電力化がより図れる。
【０００９】
また、本発明は、制御部が、第１インターフェース部に特定電源が供給されないで外部機器との接続が認識されない場合、電源生成回路によって生成される動作電源を接続認識信号として第２インターフェース部に接続される第２の接続線を介して画像表示装置へ出力することを特徴とする。
【００１０】
本構成によれば、第１インターフェース部に特定電源が供給されないで外部機器との接続が認識されない場合、画像保存装置内の電源生成回路によって生成される動作電源が接続認識信号として第２インターフェース部に接続される第２の接続線を介して、画像表示装置へ制御部により出力される。このため、第１インターフェース部に外部機器から特定電源が供給されない場合でも、第２インターフェース部に第２の接続線を介して画像表示装置が接続されると、画像保存装置内の電源生成回路によって生成される動作電源が接続認識信号として画像表示装置へ出力され、画像保存装置が接続されたことを画像表示装置に認識させることができる。
【発明の効果】
【００１１】
本発明による画像保存装置によれば、上記のように、外部機器から供給される特定電源を従来のようにＤＣ／ＤＣコンバータを作動させて電圧変換する必要のない分だけ、画像保存装置内で消費される電力が低減される。
【図面の簡単な説明】
【００１２】
【図１】本発明の一実施の形態によるデジタルカメラの外観の概略を示す正面斜視図および背面図である。
【図２】図１に示すデジタルカメラの電気回路構成の概略を示すブロック図である。
【図３】図１に示すデジタルカメラが、ＵＳＢインターフェースを介してパソコンと接続され、ＨＤＭＩインターフェースを介してテレビと接続されている電気回路構成の概略を示すブロック図である。
【図４】従来のデジタルカメラが、ＵＳＢインターフェースを介してパソコンと接続され、ＨＤＭＩインターフェースを介してテレビと接続されている電気回路構成の概略を示すブロック図である。
【発明を実施するための形態】
【００１３】
次に、本発明による画像保存装置をデジタルカメラに適用した場合における、本発明を実施するための一形態について説明する。
【００１４】
図１（ａ）は、この一実施の形態によるデジタルカメラ１の外観を示す正面斜視図である。
【００１５】
デジタルカメラ１は、カメラボディ２の正面中央部に、被写体からの光を撮像素子に導くレンズ３が設けられている。レンズ３は、カメラボディ２と一体に、または他のレンズと交換可能に設けられる。また、レンズ３の左上方にはシャッターボタン４、右上方には発光ダイオード（ＬＥＤ）からなるセルフタイマランプ５が設けられている。シャッターボタン４後方のカメラボディ２の肩部上面には、撮影時の種々の情報が表示される撮影情報表示パネル６が設けられており、反対の肩部上面には、種々の撮影モードを設定するための撮影モードダイヤル７が設けられている。また、カメラボディ２の中央上部には、被写体を照明する照明装置などのアクセサリを取り付けるためのアクセサリシュー８が設けられている。
【００１６】
同図（ｂ）は、同図（ａ）に示すデジタルカメラ１の外観を示す背面図である。なお、同図（ｂ）において同図（ａ）と同一部分には同一符号を付してその説明は省略する。
【００１７】
デジタルカメラ１には、画像を表示する背面モニタ１１と、覗くことによって撮影画像が視認される光学ファインダ１２とが備えられている。背面モニタ１１は、ＴＦＴ（Thin Film Transistor）液晶などからなり、カメラボディ２の背面略中央の筐体表面に配置されている。この背面モニタ１１には、レンズ３を介して撮像素子で撮像される画像であるいわゆるスルー画像や、再生画像、撮影に関する種々の情報などが表示される。
【００１８】
また、背面モニタ１１の左側には、デジタルカメラ１の各種設定を行うメニュー画面を背面モニタ１１に表示させる際などに操作されるメニューボタン１３、撮影情報を背面モニタ１１に表示させる際などに操作される情報表示ボタン１４、背面モニタ１１に表示される撮影画像の縮小表示やサムネイル表示の際などに操作される縮小／サムネイルボタン１５、および撮影画像の拡大表示の際などに操作される拡大ボタン１６が設けられている。
【００１９】
また、カメラボディ２の右側上部には、露出値や、シャッタースピード、ＩＳＯ（International Organization for Standardization）感度などを設定するためのコマンドダイヤル１７が設けられており、その下方には、メニュー画面におけるメニュー項目の選択操作などを行うマルチセレクタ１８が設けられている。マルチセレクタ１８は、環状に形成された方向キー１８ａと、その中央に設けられた決定ボタン１８ｂとから構成されている。方向キー１８ａは、背面モニタ１１に表示されたメニュー画面などにおいて、撮影者が設定したい項目を選択する際に、上下左右方向に押下操作される。決定ボタン１８ｂは、方向キー１８ａを操作して選択した項目を決定する際に、押下操作される。なお、これら各ボタンが設置されている場所や、各ボタンに備えられた機能、役割などは一例であり、適宜変更可能である。
【００２０】
図２は、デジタルカメラ１の電気回路構成の概略を示すブロック図である。
【００２１】
デジタルカメラ１は、ＣＰＵ（Central Processing Unit）２１、ＥＥＰＲＯＭ（Electrically Erasable Programmable Ｒead Ｏnly Ｍemory）などで構成される不揮発性メモリ２２、およびＲＡＭ（Random Access Memory）などで構成されるバッファメモリ２３を備えている。不揮発性メモリ２２には、ＣＰＵ２１が種々の制御を行う際に参照される制御プログラムなどが格納されている。ＣＰＵ２１は、不揮発性メモリ２２に格納されている制御プログラムに従い、バッファメモリ２３を一時記憶作業領域として回路各部の制御を行い、デジタルカメラ１の種々の装置機能を作動させる。
【００２２】
被写体からの光は、光学系を構成するレンズ３を介してデジタルカメラ１内に取り込まれる。なお、レンズ３は、ズームレンズやフォーカスレンズを含む複数のレンズ群で構成されており、同図では１枚のレンズとして図示されている。デジタルカメラ１内に取り込まれた被写体光は、レンズ３の光軸上に配置された撮像部２５の撮像面２５ａ上に被写体像を投影する。撮像面２５ａには受光素子が２次元配列されている。撮像部２５は、ＣＣＤ（Charge Coupled Device）やＣＭＯＳ（Complementary Metal Oxide Semiconductor）などからなり、撮像部２５の撮像面２５ａ上に結像した被写体像を撮像し、アナログの撮像信号に変換する。撮像信号は、ＡＦＥ（アナログフロントエンド）回路２６によりゲイン調整が行われ、デジタル信号に変換される。
【００２３】
画像処理部２７は、ＡＦＥ回路２６でデジタル信号に変換された撮像信号を取得し、取得した撮像信号に対して、色補間処理、輪郭強調処理、ホワイトバランス処理などの画像処理を行い、撮影された画像の画像データを生成する。画像処理部２７によって生成された画像データは、圧縮処理が施されてバス２８を介してバッファメモリ２３に一時格納されると共に、背面モニタ１１にスルー画として表示される。
【００２４】
ＣＰＵ２１にはシャッターボタン４、電源ボタン３２、および鏡筒駆動部３１が接続されている。シャッターボタン４は、半押しされるとオートフォーカス機能を作動させ、鏡筒駆動部３１によりレンズ３を移動させて焦点距離を自動調整し、全押しされると予め設定されたシャッター速度で図示しないシャッターを開かせ、被写体像を撮像部２５の撮像面２５ａに所定時間露光させて、被写体の撮影を行わせる。撮影された画像データは、記録Ｉ／Ｆ部２９を介して、図示しないスロットに着脱される、画像を保存する保存手段を構成するメモリカード３０に記録される。また、電源ボタン３２が操作されると、３Ｖ電源生成回路３４は、電池３３から供給された電源を３Ｖに変換し、この３Ｖの電源を３Ｖ系内部回路３６へ供給する。また、５Ｖ電源生成回路３５は、電池３３から供給された電源を５Ｖに変換し、この５Ｖの電源をスイッチ３８の端子ａへ供給する。５Ｖ電源生成回路３５はＣＰＵ２１に接続されており、ＣＰＵ２１からの命令により、電池３３から供給された電源を５Ｖに変換する動作を作動させたり停止させたりする。
【００２５】
また、ＣＰＵ２１には、スイッチ３８が接続され、また、バス２８を介してＵＳＢインターフェース（Ｉ／Ｆ）３９およびＨＤＭＩ（High Definition Multimedia Interface）インターフェース（Ｉ／Ｆ）４０が接続されている。ＵＳＢインターフェース３９は、ＵＳＢケーブルを介して外部機器と接続され、また、ＨＤＭＩインターフェース４０はＨＤＭＩケーブルを介して画像表示装置と接続される。また、スイッチ３８の端子ｃはＨＤＭＩインターフェース４０および５Ｖ系内部回路３７に接続されている。ＣＰＵ２１からの命令により、スイッチ３８の端子ｃが端子ａに接続されると、５Ｖ電源生成回路３５から５Ｖの電源がＨＤＭＩインターフェース４０および５Ｖ系内部回路３７に供給される。また、スイッチ３８の端子ｃが端子ｂに接続されると、ＵＳＢインターフェース３９がＨＤＭＩインターフェース４０および５Ｖ系内部回路３７に接続される。
【００２６】
図３は、デジタルカメラ１がＵＳＢインターフェース３９を介してパソコン（パーソナルコンピュータ）５１と接続され、ＨＤＭＩインターフェース４０を介してテレビ５２と接続されている電気回路構成の概略を示すブロック図である。なお、同図において図２と同一部分には同一符号を付してその説明は省略する。
【００２７】
ＵＳＢケーブル５４を介して、外部機器を構成するパソコン５１がデジタルカメラ１のＵＳＢインターフェース３９と接続されると、パソコン５１から５Ｖの特定電源およびデータがＵＳＢケーブル５４に備えられた特定電源供給線およびデータ通信線を介してデジタルカメラ１に送信される。ＵＳＢケーブル５４は、特定電源供給線およびデータ通信線を有する第１の接続線を構成する。パソコン５１がＵＳＢケーブル５４を介してデジタルカメラ１のＵＳＢインターフェース３９と接続され、ＵＳＢケーブル５４の特定電源供給線から供給されるパソコン５１の５Ｖの特定電源がＣＰＵ２１によって検出されることにより、パソコン５１とデジタルカメラ１との接続認識が行われる。ＵＳＢインターフェース３９は、ＵＳＢケーブル５４が接続されて特定電源供給線から供給される５Ｖの特定電源を検出することでパソコン５１の接続認識が行われる第１インターフェース部を構成する。
【００２８】
ＨＤＭＩケーブル５５を介して、画像表示装置を構成するテレビ５２がデジタルカメラ１のＨＤＭＩインターフェース４０と接続されると、デジタルカメラ１のメモリカード３０に保存された画像データおよび５Ｖの電圧の接続認識信号が、ＨＤＭＩケーブル５５に備えられたデータ通信線を介してテレビ５２へ送信される。ＨＤＭＩケーブル５５は、データ送信を行うデータ通信線および特定電源と等しい５Ｖの電圧の接続認識信号をテレビ５２へ送信するデータ通信線を有する第２の接続線を構成する。また、ＨＤＭＩインターフェース４０は、ＨＤＭＩケーブル５５が接続されて、メモリカード３０に保存された画像をデータ送信を行うデータ通信線を介してテレビ５２へ送出する第２インターフェース部を構成する。
【００２９】
デジタルカメラ１がパソコン５１と接続されていない場合、スイッチ３８の端子ｃは端子ａと接続されているため、５Ｖ電源生成回路３５が生成した５Ｖの電源は、スイッチ３８の端子ａを通って５Ｖ系内部回路３７に供給され、また、ＨＤＭＩインターフェース４０を介してデジタルカメラ１と接続されているテレビ５２に供給される。５Ｖ電源生成回路３５は、パソコン５から供給される５Ｖの特定電源と等しい電圧の動作電源を生成する電源生成回路を構成する。５Ｖ系内部回路３７は、５Ｖ電源生成回路３５によって生成される動作電源が供給されて動作する内部回路を構成する。また、ＣＰＵ２１は、ＵＳＢインターフェース３９に特定電源が供給されないでパソコン５１との接続が認識されない場合、５Ｖ電源生成回路３５によって生成される５Ｖの動作電源を接続認識信号として、ＨＤＭＩインターフェース４０に接続されるＨＤＭＩケーブル５５を介してテレビ５２へ出力する制御部を構成する。
【００３０】
一方、デジタルカメラ１がパソコン５１と接続されたことを認識した場合、ＣＰＵ２１の制御により、スイッチ３８は、端子ｃが、端子ａを介して５Ｖ電源生成回路３５と接続される状態から、端子ｂを介してＵＳＢインターフェース３９と接続される状態へ切り替わる。従って、パソコン５１から供給される５Ｖの特定電源は、スイッチ３８の端子ｂを通って５Ｖ系内部回路３７に供給され、また、ＨＤＭＩインターフェース４０を介して直接テレビ５２に供給される。つまり、制御部を構成するＣＰＵ２１は、５Ｖの特定電源が検出されてＵＳＢインターフェース３９にＵＳＢケーブル５４を介してパソコン５１が接続されたことが認識された場合、パソコン５１から供給される５Ｖの特定電源を、ＨＤＭＩインターフェース４０に接続されるＨＤＭＩケーブル５５によって送信される接続認識信号としてテレビ５２へ出力する。また、デジタルカメラ１がパソコン５１と接続されたことを認識した場合、ＣＰＵ２１は５Ｖ電源生成回路３５へ停止命令を送信し、５Ｖ電源生成回路３５は、電池３３の電力を５Ｖに変換する動作を停止する。つまり、制御部を構成するＣＰＵ２１は、ＵＳＢインターフェース３９に５Ｖの特定電源が供給されてパソコン５１との接続が認識された場合、５Ｖ電源生成回路３５による動作電源の生成を停止させて、パソコン５１から供給される５Ｖの特定電源を５Ｖ系内部回路３７に供給する。
【００３１】
このような本実施形態によるデジタルカメラ１によれば、５Ｖの特定電源が検出されてＵＳＢインターフェース３９にＵＳＢケーブル５４を介してパソコン５１が接続されたことが認識された場合、パソコン５１から供給される５Ｖの特定電源が接続認識信号としてＨＤＭＩインターフェース４０に接続されるＨＤＭＩケーブル５５を介して、テレビ５２へＣＰＵ２１により出力される。このため、パソコン５１から供給される５Ｖの特定電源がそのままデジタルカメラ１を介してテレビ５２へ直接出力される。
【００３２】
一方、図４は、従来のデジタルカメラ６０が、ＵＳＢインターフェース３９を介してパソコン５１と接続され、ＨＤＭＩインターフェース４０を介してテレビ５２と接続されている電気回路構成の概略を示すブロック図である。なお、同図において図３と同一または相当する部分には同一符号を付してその説明は省略する。この従来のデジタルカメラ６０では、パソコン５１から５Ｖの特定電源が供給されてパソコン５１との接続がＣＰＵ２１によって認識されたか否かに無関係に、常に５Ｖ電源生成回路３５は電池３３の電源を５Ｖに変換し続けており、５Ｖ電源生成回路３５により変換された５Ｖの電源は、５Ｖ系内部回路３７に供給されると共に、ＨＤＭＩケーブル５５を介してテレビ５２に供給される。従って、本実施形態では、５Ｖの特定電源が検出されてＵＳＢインターフェース３９にＵＳＢケーブル５４を介してパソコン５１が接続されたことが認識された場合に、パソコン５１から供給される５Ｖの特定電源と同じ電源を従来のように５Ｖ電源生成回路３５を作動させて電圧変換する必要のない分だけ、デジタルカメラ１内で消費される電力が低減される。
【００３３】
また、本実施形態によるデジタルカメラ１によれば、ＵＳＢインターフェース３９に特定電源が供給されてパソコン５１との接続が認識された場合、ＣＰＵ２１により、５Ｖ電源生成回路３５による動作電源の生成が停止させられて、パソコン５１から供給される特定電源が５Ｖ系内部回路３７に供給される。一方、従来のデジタルカメラ６０の場合、図４に示すように、ＵＳＢインターフェース３９に特定電源が供給されてパソコン５１との接続がＣＰＵ２１によって認識された場合でも、常に、５Ｖ電源生成回路３５は電池３３の電力を５Ｖに変換し続けている。このため、本実施形態では、ＵＳＢインターフェース３９に特定電源が供給されてパソコン５１との接続が認識された場合、５Ｖ系内部回路３７への動作電源を生成する５Ｖ電源生成回路３５の動作が停止する分だけ、デジタルカメラ１内で消費される電力が低減され、デジタルカメラ１の低消費電力化がより図れる。
【００３４】
また、本実施形態によるデジタルカメラ１によれば、ＵＳＢインターフェース３９に特定電源が供給されないでパソコン５１との接続が認識されない場合、デジタルカメラ１内の５Ｖ電源生成回路３５によって生成される動作電源が接続認識信号としてＨＤＭＩインターフェース４０に接続されるＨＤＭＩケーブル５５を介して、テレビ５２へＣＰＵ２１により出力される。このため、ＵＳＢインターフェース３９にパソコン５１から特定電源が供給されない場合でも、ＨＤＭＩインターフェース４０にＨＤＭＩケーブル５５を介してテレビ５２が接続されると、デジタルカメラ１内の５Ｖ電源生成回路３５によって生成される動作電源が接続認識信号としてテレビ５２へ出力され、デジタルカメラ１が接続されたことをテレビ５２に認識させることができる。
【産業上の利用可能性】
【００３５】
なお、本実施形態では、外部機器はパソコン５１であったが、単体の外付けＨＤ（ハードディスク）やＡＣ電源が供給されて動作するＵＳＢハブ等でもよい。また、本実施形態では、画像表示装置はテレビ５２であったが、フォトビュアー等の画像を表示する他の画像表示装置でもよい。
【００３６】
また、上記実施形態においては、本発明の画像保存装置をデジタルカメラに適用した場合について説明したが、ビデオカメラやフォトストレージ、フォトビュワー等のモバイル機器、ＡＣ電源供給を受けるＤＶＤレコーダ等のその他の画像保存装置にも適用することが可能である。このような画像保存装置に本発明を適用した場合においても、上記実施形態と同様な作用効果が奏される。
【符号の説明】
【００３７】
１…デジタルカメラ
２１…ＣＰＵ
３０…メモリカード
３３…電池
３４…３Ｖ電源生成回路
３５…５Ｖ電源生成回路
３６…３Ｖ系内部回路
３７…５Ｖ系内部回路
３８…スイッチ
３９…ＵＳＢインターフェース
４０…ＨＤＭＩインターフェース
５１…パソコン
５２…テレビ
５４…ＵＳＢケーブル
５５…ＨＤＭＩケーブル
【図１】
2012019368.tif 000003
【図２】
2012019368.tif 000004
【図３】
2012019368.tif 000005
【図４】
2012019368.tif 000006